(57)【要約】【課題】  ひとつの透過部で複数の表示状態が提供できる表示装置を提供する。【解決手段】  色毎に透過率の異なる複数領域を有し、一方の色の光には前面透過し他方の色の光には不透過領域が現れる表示装置を提供する。【選択図】  図６
2005241775.tif 000002
【特許請求の範囲】
【請求項１】
２色以上のＬＥＤの切り替えによって装置の状態を知らせる表示において、前記ＬＥＤと装置の状態を表示する表示面表面の間に、前記２色以上の光に対して分光透過率の異なるエリアにより構成されるフィルターを有することを特徴とする表示装置、及びそれにより構成される機器。
【請求項２】
所定の動作の開始を指示する動作開始指示入力キーに、前記動作が開始可能であるか否かを表示する表示手段を備えたキー表示装置において、２色以上のＬＥＤの切り替えによって装置の状態を知らせる機能を有し、前記ＬＥＤと装置の状態を表示する表示面表面の間に、前記２色以上の光に対して分光透過率の異なるエリアにより構成されるフィルターを有することを特徴とするキー表示装置、及びパイロットランプ、及びそれにより構成される機器。
【請求項３】
前記請求項において、２色以上のＬＥＤに対する分光透過率の異なるエリアの、前記２色以上のＬＥＤに対する透過率は１０％以上異なることを特徴とする表示装置、及びそれにより構成される機器。
【請求項４】
第１の色の光と第２の色の光のそれぞれを透過させることで前記第１の色の光による表示と前記第２の色の光による表示とを行う透過部を有する表示装置において、
前記透過部は第１の領域と第２の領域とを有し、
前記第１の領域は前記第１の色の光と前記第２の色の光に対して透過であり、
前記第２の領域は前記第１の色の光には透過であるが前記第２の色の光は不透過であり、
前記透過部は前記第２の色の光を透過させることで像表示を行うことを特徴とする表示装置。
【発明の詳細な説明】
【技術分野】
【０００１】
本発明は、複写機やファクシミリ装置等の複写動作・通信動作の開始を指示するためのスタートキー、または、プリンターの印字動作・デジカメ等の撮影の可／不可の状態を表示するパイロットランプ等々、点灯色により各種情報を表示する表示装置、及びそれにより構成される装置に関するものである。
【背景技術】
【０００２】
図１６、図１７は従来例を示す図である。
【０００３】
前記の図は従来例である特許文献１「キー表示装置」を示す図であり、図１６はその対象となるキーのキートップを示し、図１７はそのキーの内部構成を示す図である。図中１００はスタートキー、１０１はキートップ、１０４はスタートを表す図記号であり、１０２・１０３はその図記号を構成するの部分、１０５は赤色ＬＥＤ、１０６は緑色ＬＥＤを示す。
【０００４】
同従来例では、ファクシミリ装置が電源投入直後でありウォームアップ未完了であれば、スタートマーク１０４が赤色に着色表示され、ウォームアップが完了すれば、スタートマーク１０４が緑色に着色表示される。ウォームアップが完了した時点で、動作モードが標準モードであればスタートマーク１０４は緑色表示とされたままであるが、標準モード以外のモードであれば赤色表示と緑色表示が交互に繰り返されるが、または、緑色表示がブリンクされる。この際、スタートキー１０１の背面に配置された緑色ＬＥＤ１０６と赤色ＬＥＤ１０５の光は透明部材や半透明部材で構成されるスタートマーク１０４を通して観察される。
【特許文献１】特開平８−０１６９３４号公報
【発明の開示】
【発明が解決しようとする課題】
【０００５】
前記のとおり、従来例においては緑色ＬＥＤと赤色ＬＥＤの光の点灯／点滅により装置の状態を知らせるものである。
【０００６】
一方、日本人男性の約５％はいわゆる「赤緑色弱・赤緑色盲」と呼ばれる赤と緑色の差が分かりづらい、もしくは分からない色弱・色盲の人々である。このような人々にとっては、上記のように「緑色の光」と「赤色の光」を区別し、装置の状態を確認することは難しい。
【０００７】
赤と緑の区別が可能ではある「赤緑色弱」では、対象が大きな面積であれば赤と緑の区別ができるものの、対象がこのような装置にありがちなように小さな面積であると赤と緑色の判断は難しく、装置の状態を即時に判断することは困難であり、装置の操作にも不都合が伴う。
【０００８】
また、実際には緑色ＬＥＤと赤色ＬＥＤの出力や、人間の視感度の違いにより、緑色ＬＥＤと赤色ＬＥＤの輝度は異なり、「赤緑色弱・赤緑色盲」であっても、輝度の差によって、ＬＥＤの色の差を推測することが可能な場合もあるが、「どちらが赤で、どちらが緑色」かの判断はまでは難しい。
【０００９】
このように「赤緑色弱・赤緑色盲」にとって、色で装置の状態を判別することは困難であるため、色による判別をあきらめる場合や、色によって判別ができるような機能になっていることすら知らないことも多い。
【００１０】
また、正常な色覚を持つ操作者であっても、前記のようにキー上に浮かび上がる図記号・文字等の色が緑色の場合と赤色の場合と変わっていることに気づいていない場合が非常に多い。また一方では、色の変化は認識していても、緑色と赤色のどちらが「操作可能な状態」なのか、感覚的に理解できない場合もある。
【課題を解決するための手段】
【００１１】
本発明請求項１においては、２色以上のＬＥＤの切り替えによって装置の状態を知らせる表示において、前記ＬＥＤと装置の状態を表示する表示面表面の間に、前記２色以上の光に対して分光透過率の異なるエリアにより構成されるフィルターを有することを特徴とする。
【００１２】
このことにより、ＬＥＤの点灯色が異なる際には、異なるパターンが浮かび上がり、ユーザー男性の２０人に約１人である「赤緑色弱・赤緑色盲」のユーザーが装置の状態を知ることが出来ると同時に、「赤緑色弱・赤緑色盲」でないユーザーにとっても状態が識別しやすい装置を実現することができる。
【００１３】
本発明の請求項２においては、所定の動作の開始を指示する動作開始指示入力キーに、前記動作が開始可能であるか否かを表示する表示手段を備えたキー表示装置において、２色以上のＬＥＤの切り替えによって装置の状態を知らせる機能を有し、前記ＬＥＤと装置の状態を表示する表示面表面の間に、前記２色以上の光に対して分光透過率の異なるエリアにより構成されるフィルターを有することを特徴とする。
【００１４】
このことにより、ＬＥＤの点灯色が異なる際には「赤緑色弱・赤緑色盲」のユーザーが装置の状態を知ることが出来ると同時に、「赤緑色弱・赤緑色盲」でないユーザーにとっても状態が識別しやすい装置を実現することができる。
【００１５】
本発明の請求項３においては、請求項１・２において、２色以上のＬＥＤに対する分光透過率の異なるエリアの、前記２色以上のＬＥＤに対する透過率は１０％以上異なることを特徴とする。
【００１６】
本発明の請求項４においては、第１の色の光と第２の色の光のそれぞれを透過させることで前記第１の色の光による表示と前記第２の色の光による表示とを行う透過部を有する表示装置において、
前記透過部は第１の領域と第２の領域とを有し、
前記第１の領域は前記第１の色の光と前記第２の色の光に対して透過であり、
前記第２の領域は前記第１の色の光には透過であるが前記第２の色の光は不透過であり、
前記透過部は前記第２の色の光を透過させることで像表示を行うことを特徴とする表示装置である。
【発明の効果】
【００１７】
より装置状態の変化が明瞭に認識でき、「赤緑色弱・赤緑色盲」のユーザーにも、「赤緑色弱・赤緑色盲」でないユーザーにとっても状態が識別しやすい装置を実現することができる。
【００１８】
また同じ透過領域で発光色を変えるだけで異なる表示状態を発現できる表示装置を提供できる。
【発明を実施するための最良の形態】
【００１９】
（実施例１）
図１から図１１はそれぞれ、本発明の実施例１を説明する図である。
【００２０】
図１は表示部分の構成を示し、１は操作パネル面、２はスタートキー、３は図記号部分、４はフィルター、５は緑色ＬＥＤ、６は赤色ＬＥＤを示す。
【００２１】
図２はフィルター４の詳細を示す図で、７はフィルターの赤色光に対するの分光透過率が高い部分、８はフィルター４の赤色光に対するの分光透過率が低い部分を示す。
【００２２】
図３は本実施例のファクシミリ装置を示し、ＭＰＵ（マイクロプロセシングユニット）１１、キー入力制御部１２、表示制御部１３、スキャナ制御部１４、プリンタ制御部１５、通信制御部１６、ＲＯＭ（リードオンリメモリ）１７、及びＲＡＭ（ランダムアクセスメモリ）１８によって構成され、これら各構成要素は内部バス１９を介して相互に接続されている。また、上記スキャナ制御部１４とプリンタ制御部１５とは画像データバス２０により接続されている。
【００２３】
図４は、本ファクシミリ装置の操作パネルの概略構成をし、２１は電源スイッチ、２２は画像データの送信等の動作開始を指示するためのスタートキー、２３は送信相手の電話番号などを入力するためのテンキー群、２４は画像データの変倍機能等の編集機能を実行するための各種設定を行うための設定キー群、２５は各種メッセージを表示するためのディスプレイである。
【００２４】
図５、図６は図４のスタートキー２２の詳細を示す平面図であり、同図において、２６はスタートキーのキートップを示し、図５の２７は緑色ＬＥＤ点灯時、図６の２８は赤色ＬＥＤ点灯時のスタートマークの状態を示し、２７、２８は光線を透過する部材からなる。
【００２５】
図７は本実施例のファクシミリ装置の動作を表す図であり、ＲＯＭ１７（図３）に格納された制御プログラムに基づき、ＭＰＵが行う制御処理を示すフローチャートであり、Ｓ１〜Ｓ５は制御ステップを示す。
【００２６】
図８はフィルターの分光透過率を示す図で、３０は赤色の分光透過率が高い部分の分光透過率、３１は赤色の分光透過率が低い部分の分光透過率の例を示す図である。
【００２７】
図９は人間の網膜の錐体細胞の分光感度特性と原色光波長を示し、３２はＬ錐体の分光感度、３３はＭ錐体の分光感度、３４はＳ錐体の分光感度、３５はＲ（赤色）原色光、３６はＧ（緑色）原色光、３７はＢ（青色）原色光を示す。
【００２８】
〔装置の動作に関して〕
次に本実施例の装置の動作を図４・５・６・７を用いて説明する。
【００２９】
まず、本ファクシミリ装置に電源が投入されると、図４のディスプレイ２５において、本ファクシミリ装置の動作モードが標準モードに設定されると共に、動作モードが標準モードであることが表示される（図７ステップＳ１）。
【００３０】
次に、本ファクシミリ装置各部がすべてウォームアップされて装置の動作開始準備が完了したか否か判断され（Ｓ２）、完了していなければ、ディスプレイ１５に「お待ちください」というメッセージを表示する（Ｓ３）。このときスタートキー２２のキートップ２６は赤色ＬＥＤ６が発光し（図６）、スタートマーク部３が動作開始不能であることを示す赤色の着色表示とされる。
【００３１】
前記ステップＳ２で動作開始準備が完了すれば、ディスプレイ２５における前記「お待ちください」のメッセージは消去され（Ｓ４）、装置が動作開始可能状態でありかつ動作モードが標準モードであることを表示するために、スタートキー２２のキートップ２６においては赤色ＬＥＤ６の代わりに緑色ＬＥＤ５が発光して、スタートマーク部３が緑色の着色表示（図５）とされ（Ｓ５）、処理を終了する。
【００３２】
図３のＭＰＵ１１は、図４の操作パネル上に設けられた各種操作キー２４により入力された操作情報に基づいて、前記ＲＯＭ１７に格納されたプログラムにより本実施例装置全体の動作を制御する。前記各制御部１２〜１６は各々ワンチップマイコンからなり、各々、操作情報の入力制御、前記操作パネル上における表示制御、不図示のスキャナ部における画像データ読取制御、不図示のプリンタ部における印刷制御、画像データの送受信のための通信制御をお行う。
【００３３】
ＲＯＭ１７はＭＰＵ１１が行う前記制御処理のためのプログラム等を格納する。ＲＡＭ１８は、前記スキャナ部により読み取られた画像データや電話回線を介して相手側装置から受信した画像データおよび前記操作情報等を一時記憶する。
【００３４】
また上記では、電源投入時の動作のみに触れたが、本発明は他の２色以上のＬＥＤを点灯／点滅により危機の状態を知らせる動作にも適用されるものとする。
【００３５】
例えば、本ファクシミリ装置の動作開始準備完了後に、図４の操作パネルにおいてキー操作が行われる場合について触れる。
【００３６】
図４の操作パネル上で、キー入力があったか否かを検知、いずれかのキーが操作されると、キー操作により本ファクシミリ装置の動作モードが標準モード以外のモードに変化したか否かを判断、変化していない場合には、スタートキー２２における表示を緑色の着色表示のままとして、標準モードである旨の表示を継続する。変化した場合、すなわち例えば編集機能を実行する編集モードに変化したときには、スタートマーク部２２において赤色の着色表示と緑色の着色表示とを交互に繰り返すか、または、緑色の着色表示をブリンクして、装置が動作開始可能状態であり、かつ動作モードが標準モード以外のモードである旨の表示を行う。このように処理が終了すると、スタートキー２２が押下された否かを判断して、押下されれば処理を終了し、押下されば初期の入力待ち状態へと戻る。
【００３７】
このようにスタートマーク部２２において、赤色の着色表示と緑色の着色表示とを交互に繰り返すか、または、緑色の着色表示をブリンクすることにより、スタートキー２２に装置が動作開始可能でありかつ装置の動作モードが標準モード以外のモードであることに気が付かずに誤って画像データの送信指示を行うことを防止することができる。
【００３８】
また、上記実施例では動作の開始を指示するキーをスタートキーとして説明したが、この名称に限られず所定の動作の開始を実行するキーであればよい。
【００３９】
〔「赤緑色弱・赤緑色盲」について〕
ここで「赤緑色弱・赤緑色盲」について触れる。
【００４０】
日本人男性の約５％（女性は０．２％）、つまり男性の２０人に１人はいわゆる「赤緑色弱・赤緑色盲」と呼ばれる赤と緑色の差が分かりづらい、もしくは分からないような色弱・色盲の人々である。日常生活において、色覚異常を抱えていることは外見では分からないが、本人は成長の過程での色覚テストや、周囲の人々との意見の相違により「赤緑色弱・赤緑色盲」を自覚しており、必要のない限り強いて色覚異常であることを他人に公表しない場合が多いため、該当者が多いにもかかわらず顕在化しにくい。また「色覚異常」と表現されつつも、その該当者の多さは「異常」と表現するには人口に対する比率は非常に高く、実態としては「遺伝タイプの一つ」と考えるべきかもしれない。このような多数の「赤緑色弱・赤緑色盲」の人々にとって、上記のように「緑色の光」と「赤色の光」を区別し、装置の状態を確認することは難しい。
【００４１】
図９では人間の網膜にある錐体の分光感度特性と原色光の概念を示している。
【００４２】
人間の可視域は一般的に光の波長４００ｎｍから７００ｎｍあたりとされ、正常な色覚をもつ場合であっても、この可視域には若干の個人差がある。色の識別は、光の色を感じる網膜を経て、その色情報を伝達する神経系を介し、大脳の視覚領で認識するに至るが、この際それぞれの機能の働き具合により色弁別の個人差が生じる。
【００４３】
人間の網膜には光を感じる杆体（かんたい）細胞と錐体（すいたい）細胞が存在する。杆体細胞は視野が広く、主に暗い場合に使用し、色弁別はできない。色を感じるのは、主に明るい場合に使用する錐体細胞であり、視野が狭い。この錐体には、Ｌ錐体・Ｍ錐体・Ｓ錐体の３種類があり、その分光感度は、Ｌ錐体３２はピーク波長５６５ｎｍ（黄色）辺りで最も数が多く、Ｍ錐体３３はピーク波長５４５ｎｍ（黄緑）辺り、Ｓ錐体３４はピーク波長４４０ｎｍ（紫）辺りで数が最も少ない錐体細胞である。この３種類の錐体細胞による信号を比較することにより、図中のＲ（赤色）原色光３５、Ｇ（緑色）原色光３６、Ｂ（青色）原色光３７なども認識可能となる。
【００４４】
ただし「赤緑色弱、赤緑色盲」の場合、Ｌ錐体３２かＭ錐体３３のどちらの機能が著しく弱いか、機能していない状態であるため、Ｌ錐体３２とＭ錐体３３からの信号を比較することが困難になる。そのため、Ｌ錐体３２とＭ錐体３３からの信号を比較することで色の弁別をする緑色と赤色の色成分の弁別が非常に難しくなる。これにより「赤緑色弱・赤緑色盲」といった現象が現れる。
【００４５】
このような現象は、緑色の原色と赤色の原色に対してのみ起こるのではない。日常、我々の周囲の自然に存在する色には、ほとんど原色は存在せず、おおかたは複合色である。よって、緑色と赤色辺りの波長成分が同等含まれるような色についても弁別が難しくなり、
例えば、赤紫の花と深緑の葉といった組み合わせも、花と葉を識別するのは難しい。
【００４６】
本提案で対象とする色の光源はＬＥＤである。ＬＥＤ（発光ダイオード）は半導体チップであり、通電することによりＰ−Ｎ接合荷による少数キャリアの注入・再結合によりエレクトロルミネッセンスが生じて発光される。このときの発光波長は発光材料に依存し、特定の波長に対する半値幅の極めて狭い「単色光」が実現される。その例としては、６３５ｎｍ（赤色）、５６０ｎｍ（緑色）などのＬＥＤが挙げられる。
【００４７】
このように色の純度の高い赤色と緑色のＬＥＤの光束を観察する場合、「赤緑色弱・赤緑色盲」である観察者にとって当然、色の弁別を行うことは難しく、時には色の差は全く分からない。よって「赤緑色弱・赤緑色盲」である場合、スタートマークが緑色や赤色に着色表示され、色によって装置の状態が分かるようになっていても、それを認識することは非常に難しい。
【００４８】
また、赤色と緑色の区別が不可能ではない「赤緑色弱」では、観察対象が大きな面積であれば赤色と緑色の区別ができるものの、一般的に小さな面積である装置表示部分を観察する際には赤色と緑色の判断は難しく、装置の状態を即時に判断することは困難であり、装置の操作にも不都合が伴う。
【００４９】
また、実際には緑色ＬＥＤと赤色ＬＥＤの出力や、ＬＥＤの光束が透過する窓部分の分光透過率や、人間の視感度の違いにより、緑色ＬＥＤと赤色ＬＥＤの輝度は異なって見えるはずで、「赤緑色弱・赤緑色盲」であっても、表示色の明度差によってＬＥＤの色の差を推測することが可能な場合もあるが、「どちらが赤で、どちらが緑色」かの判断までは難しい。
【００５０】
〔フィルター４について〕
次にスタートキーのキートップ２近傍に設けられた、フィルター４について述べる。
【００５１】
キートップ２の図記号部分３は透明、または半透明な窓状になっており、図１に示すとおり、キートップ背面に配置される緑色ＬＥＤ５や赤色ＬＥＤ６が点灯すると、ＬＥＤの光束は図記号の形状をなす窓３により略拡散透過され、フィルター４を介してキートップ面に達し、図記号がＬＥＤの色に着色表示されたように観察される。
【００５２】
ここで、前記フィルター４は図２に示すように、赤色の分光透過率が高い部分７と赤色の分光透過率が低い部分８によりパターンが構成されているものとし、それぞれの分光透過率特性は図８の分光透過率特性の例に示すとおりである。フィルター４の７の部分の分光透過率特性はグラフ中の特性３０のように、緑色ＬＥＤ辺りの波長と同等に赤色ＬＥＤ辺りの波長まで高い透過率を有し、フィルターの８の部分の分光透過率特性は特性３１のように緑色ＬＥＤ辺りの波長は高い透過率を有するのに対し、赤色ＬＥＤ辺りの波長では透過率が低い。このことにより、緑色ＬＥＤ５が点灯する際にはキートップ２上の図記号（スタートマーク）３が図５に示すように緑色に着色表示され、赤色ＬＥＤ６が点灯する際には図記号３は図６に示すように図記号にフィルターの７・８部分（図２）で形成されるパターンが浮かび上がる。
【００５３】
このことにより、緑色と赤色の弁別が難しい「赤緑色弱・赤緑色盲」のユーザーであっても、点灯色の違いを認識することができる。また、正常な色覚を持つユーザーであっても、異なる色のＬＥＤが点灯していることを認識しやすくなり、赤色ＬＥＤ点灯時に適切なパターンが浮かび上がることで、注意を喚起することも可能である。
【００５４】
また、前記フィルター４の７・８の部分で構成されるパターンは、本実施例では対象はスタートマーク（斜め線と縦線で構成）であったため、図２のように線の認識しやすい横線パターンとしたが、状況に応じた分かりやすいパターンで良いものとする。例えば、図１０（ａ）のような図記号に対して、図１０（ｂ）のように左上から右下へつながる線のパターン（一般的に禁止の意味合いのあるスラッシュ。元々は「ＮＯ」の「Ｎ」の真ん中の斜め線の意）としたり、図１１（ａ）のようなパイロットランプに対して、図１１（ｂ）のように「×」マークとすることで「禁止」を意味させることが可能である。
【００５５】
また波長については、例えば、波長５６０ｎｍの緑色ＬＥＤ、波長６３５ｎｍの赤色ＬＥＤを使用し、フィルター４の７部分は波長５６０ｎｍと波長６３５ｎｍに対する透過率が９０％、フィルター４の８の部分は波長５６０ｎｍに対する透過率が９５％、波長６３５ｎｍに対する透過率が２０％というように構成すれば、適切な系が実現される。
【００５６】
本発明において光透過の状態と不透過の状態とは相対的に区別されるものである。分光透過率が低いという表現が不透過を意味する。透過状態の領域（例えば図２の符号７）と不透過状態の領域（例えば図２の符号８）との間では透過率差が１０％以上あることが好ましい。というのも人間が透過不透過を視覚的に区別出来るためには透過率差で１０％以上あることが好ましいからである。
【００５７】
またフィルター４については、キートップ２の上面もしくは下面に近接して配置しても良いし、キートップ部材に所定の分光透過率を有する塗装を施しても良い。また、キートップ自体を異なる２つ以上の分光透過率部材でパターンをなすように形成しても良い。また、ＬＥＤの光束を光ファイバー他の導光部材により導光する場合は、ＬＥＤ近傍や導光部材近傍にフィルターを設けても、導光部材じたいにフィルター機能を持たせても良い。
【００５８】
昨今の超高齢化に伴い高齢者への対応や、障害者への対応の必要性が認識されつつあり、「バリアフリー」「ユニバーサルデザイン」等々が話題にされている。一方この「赤緑色弱・赤緑色盲」に該当する人々は、健常者として生活しているがゆえに日常的に様々な「バリア」に直面している。ただし、困難が生じていても、人口比率からも最も大きなバリアの１つであるのにもかかわらず、顕在化しにくいがために無視されているのが現状である。本発明により、「赤緑色弱・赤緑色盲」である使用者が装置を操作する際はもちろん、「赤緑色弱・赤緑色盲」ではない使用者に対しても、装置の状態の確認・変化の認知を促すことができ、より多くのユーザーに装置の状態を明確に表示する装置の実現が可能となる。
【００５９】
（実施例２）
図１２、１３は本発明の適用対象となる機器の例で、図１２は複写機の全体、図１３はは複写機の操作パネルの例を示す。また図１３中の４０はコピー動作等の動作を開始するスタートキー、４１は動作の実行状態やメモリの状態を示す表示部分、４２はエラーを知らせる表示部分、４３は電源状態の表示部分である。４１、４２、４３は各々、背面にＬＥＤを有し、単色のＬＥＤの点灯や、場合によっては２色以上のＬＥＤの点灯により装置の状況を表示する。
【００６０】
本実施例においては、実施例１と同様にスタートキー４０のキートップのスタートマークをＬＥＤ着色表示や、４１・４２・４３といった表示で２色以上のＬＥＤの点灯による装置表示を行う際、前記２色以上の光に対して分光透過率の異なるエリアにより構成されるフィルターを有するし、点灯色の違いを色のみでなく、パターンで認識できるようにした。
【００６１】
このことにより、複写機においてもより多くのユーザーに装置の状態を明確に表示する装置の実現が可能とする。
【００６２】
（実施例３）
図１４は第３の実施例のカメラ（特にデジタルカメラ）を示し、５０は撮影時の合焦点状態や露出確認状態を知らせるランプ部分である。通常、シャッターの半押しを行うなどして、焦点を合わせや露出の調整を実行し、撮影に対して適切な設定が完了するまでは赤色表示がされ、各設定が完了して良好な撮影ができる状態になったところで緑色となる。
【００６３】
本実施例においても、実施例１・２と同様にパイロットランプのＬＥＤ表示で２色以上のＬＥＤの点灯（特に緑色と赤色）による装置表示を行う際、前記２色以上の光に対して分光透過率の異なるエリアにより構成されるフィルターを有するし、点灯色の違いを色のみでなく、パターンで認識できるようにする。このことにより、より多くのユーザーに装置の状態を明確に表示する装置の実現が可能となる。
【００６４】
（実施例４）
図１５は第４の実施例のプリンター（特にインクジェットプリンター）を示し、６０は装置の状態（例えば、準備中・印刷可能な状態・印刷中・エラー等）を知らせるランプ部分である。
【００６５】
本実施例においても、実施例１・２・３と同様にパイロットランプのＬＥＤ表示で２色以上のＬＥＤの点灯による装置表示を行う際、前記２色以上の光に対して分光透過率の異なるエリアにより構成されるフィルターを有するし、点灯色の違いを色のみでなく、パターンで認識できるようにする。このことにより、より多くのユーザーに装置の状態を明確に表示する装置の実現が可能となる。
【００６６】
現在の社会は、赤色と緑色の識別のできないと内容が理解できないような文書・表示他ウェブなど氾濫しており、「赤と緑の区別ができるのが当たり前」ということが暗黙の常識となっている。そして、赤色と緑色のＬＥＤの切り替えによって装置の状態や他の情報を表示する機器もまた、非常に多い。この一方では、人口の約５％をも占める多数の人々がこの「暗黙の常識」のために、日常社会生活の一部に支障をきたし、また精神的にも負担を被っている。
【００６７】
本発明では、２色以上のＬＥＤ（特に赤色と緑色）の切り替えによって装置の状態を知らせる表示において、前記ＬＥＤと装置の状態を表示する表示面表面の間に、前記２色以上の光に対して１０％以上分光透過率の異なるエリアにより構成されるフィルターを設けることを特徴とする。ＬＥＤが赤色と緑色の場合、赤色点灯時にパターンが明瞭に浮かび上がるようにすることで、容易に注意を喚起することができる。
【００６８】
従来、このように便利であるはずの機器が、表示が分かりづらいがためにかえって「赤緑色弱・赤緑色盲」と一般的な色覚を持つ人との間に「バリア」を生じさせている。本発明により、このような「バリア」を軽減し、「赤緑色弱・赤緑色弱」であるがための精神的な負担・諦めを緩和することとなりえる。このような表示を備えた機器の考案・普及により、「赤緑色弱・赤緑色盲」の人々が社会の中で当然可能であるべき日常生活を容易とし、正常な社会生活を円滑にする。
【００６９】
また一方では「色のみによる状態表示」は通常目立たないために、一般的な色覚を持つ人であっても、認識することが非常にしくい。本発明によればそういった人にもわかりやすい、つまりは「色弱・色盲」でない人にも有益である「ユニバーサルデザイン」の思想に合致した製品の実現が可能である。
【００７０】
また様々な「バリア」が散在する昨今において、このような機器を提供することにより、提供する企業自体も「バリア」を取り払う姿勢のある「ユニバーサルデザイン」を目指す企業としての姿勢をアピールし、社会的有意に立つことも可能となる。
【図面の簡単な説明】
【００７１】
【図１】第１実施例を示す図
【図２】第１実施例を示す図
【図３】第１実施例を示す図
【図４】第１実施例を示す図
【図５】第１実施例を示す図
【図６】第１実施例を示す図
【図７】第１実施例を示す図
【図８】第１実施例を示す図
【図９】第１実施例を示す図
【図１０】第１実施例を示す図
【図１１】第１実施例を示す図
【図１２】第２実施例を示す図
【図１３】第２実施例を示す図
【図１４】第３実施例を示す図
【図１５】第４実施例を示す図
【図１６】従来例を示す図
【図１７】従来例を示す図
【符号の説明】
【００７２】
１  操作パネル面
２  スタートキー
３  図記号部分
４  フィルター（（ａ）外観（ｂ）一部拡大図）
５  緑色ＬＥＤ
６  赤色ＬＥＤ
７  フィルター（赤色の分光透過率が高い部分）
８  フィルター（赤色の分光透過率が低い部分）
１１  ＭＰＵ（マイクロプロセシングユニット）
１２  キー入力制御部
１３  表示制御部
１４  スキャナ制御部
１５  プリンタ制御部
１６  通信制御部
１７  ＲＯＭ（リードオンリメモリ）
１８  ＲＡＭ（ランダムアクセスメモリ）
１９  内部バス
２０  画像データバス
２１  電源スイッチ
２２  スタートキー
２３  テンキー群
２４  各種設定キー群
２５  ディスプレイ
２６  スタートキー
２７  スタートキー（緑色ＬＥＤ点灯時）
２８  スタートキー（赤色ＬＥＤ点灯時）
３０  フィルター分光透過率（赤色の分光透過率が高い部分）
３１  フィルター分光透過率（赤色の分光透過率が低い部分）
３２  Ｌ錐体の分光感度
３３  Ｍ錐体の分光感度
３４  Ｓ錐体の分光感度
３５  Ｒ原色光
３６  Ｇ原色光
３７  Ｂ原色光
４０  スタートキー（複写機）
４１  実行状態・メモリ状態表示部
４２  エラー表示部
４３  電源状態表示部
５０  パイロットランプ（デジタルカメラ）
６０  パイロットランプ（プリンター）
１００  スタートキー
１０１  キートップ
１０２  スタートマーク（一部）
１０３  スタートマーク（一部）
１０４  スタートマーク
１０５  赤色ＬＥＤ
１０６  緑色ＬＥＤ
【図１】
2005241775.tif 000003
【図２】
2005241775.tif 000004
【図３】
2005241775.tif 000005
【図４】
2005241775.tif 000006
【図５】
2005241775.tif 000007
【図６】
2005241775.tif 000008
【図７】
2005241775.tif 000009
【図８】
2005241775.tif 000010
【図９】
2005241775.tif 000011
【図１０】
2005241775.tif 000012
【図１１】
2005241775.tif 000013
【図１２】
2005241775.tif 000014
【図１３】
2005241775.tif 000015
【図１４】
2005241775.tif 000016
【図１５】
2005241775.tif 000017
【図１６】
2005241775.tif 000018
【図１７】
2005241775.tif 000019